(57)【要約】【目的】        熱輻射体増幅装置を、煙熱、燻煙、蒸気等各種乾燥処理炉内の、熱媒体の移動経路に設置し、熱輻射体の増幅を図り、対象材料の品質を高める為の強力エネルギー帯を作る為の装置。【構成】              熱輻射体増幅装置１に、強力エネルギー発振の為の能動素子２と、強力エネルギー発振の為の共鳴触媒３で構成されたものに、熱媒体（煙、空気、蒸気等）を通過及び滞留させることで、熱輻射体の増幅及び、熱媒体のクリーン化を図ることを特徴とする。【特許請求の範囲】
【請求項１】
煙熱、燻煙、蒸気等各種乾燥処理炉内の、熱媒体保有域、熱輻射体の移動通路及び滞留域に各輻射体の放射エネルギーを増幅させるための、希土類（１〜３％を含む）素材及び遠赤外線発生素材よりなる能動素子を設置した熱輻射体増幅装置を利用することを特徴とする乾燥処理炉。
【請求項２】
煙等、熱媒体に含まれる諸成分が、希土類含有素材及び遠赤外線発生素材よりなる能動素子と電気高伝導素材に、希土類含有（１〜３％）特種塗料を塗布した共鳴触媒とで形成された強力エネルギー帯を通過及び滞留することで、イオン化され還元力のある分子群に変換することを特徴とする熱輻射体増幅装置を利用した乾燥処理炉。
【請求項３】
請求項１、請求項２を用いた木材乾燥処理炉。
【発明の詳細な説明】
【発明の詳細な説明】
【産業上の利用分野】
【０００１】  本発明は、煙熱、燻煙、蒸気等、各種処理炉内に熱輻射体増幅装置を設置し、熱媒体を通過させることと、能動素子（希土類含有素材及び遠赤外線発生素材で１〜３０μの電磁波を発生）を取り付けたことにより、熱輻射体（煙、空気、水蒸気等を利用した熱輻射体にも摘要）の放射エネルギーが増幅をすることで、対象乾燥材のそり、曲がり、ねじれ、割れの原因となる内部応力の削減を図ること等、良質の乾燥素材（木材等）を造ることができる。又、熱媒体成分分子の還元力増強により対象乾燥素材（木材等）の熱伝導性の効率化（伝導時間の短縮、熱伝導バランスの均一化）を図り、イオン変換を繰り返し、対象材を良質の乾燥材に仕上げる為の改善を行い、完成品の品質の向上、歩留まりの向上、乾燥時間の短縮及びコスト削減などを実現する為の熱輻射体増幅装置を利用した乾燥処理炉に関するものである。
【背景技術】
【０００２】  従来の人口乾燥の方法には、直接加熱式と間接加熱式がある。直接加熱式乾燥には、煙熱処理炉又は燻煙処理炉の方法があげられる。木材の燻煙熱処理方法としては、現在氏家式熱処理法と、それを母体にしたＥＤＳ（エコロジードライシステム）、それにオンドルの技術から着想した菅岡氏の古代人式等があり、多くの実験と実用、その分析を基に研究して来た成果がある。しかし、それぞれが、煙による熱の伝導、対流については独自の工夫が見受けられるが、放射にたいしては、炉の構造にゆだねているのが現状のようである。すなわち煙に含まれるカーボンから放射される電磁波と、炉の内部に厚く付着した状態の黒体輻射熱の有効利用のみである。
【発明が解決しようとする課題】
【０００３】  煙熱、燻煙、蒸気等、各種乾燥処理炉において、対象素材（木材等）の含水量の削減、残留応力除去は完成品の品質、歩留まりの向上、コスト削減に大きく影響するところである。本発明は熱媒体に含まれる熱輻射体の増強と、熱媒体成分分子の還元化をすることで、対象素材（乾燥処理するための木材等）の熱伝導率の向上（伝導時間の短縮、熱伝導バランスの均一化）により、対象素材の含水量の削減、残留応力の除去率の向上を図ることで、対象素材（木材等）の反り、曲がり、ねじれ、割れ、腐蝕等の発生量の削減を図り、歩留まりの向上と材質の向上及び乾燥時間の短縮を目的とする本熱輻射体増幅装置を利用した乾燥処理炉を提供する。
【課題を解決するための手段】
【０００４】  請求項１の場合には、熱輻射体増幅装置に、炉内に流動中の熱媒体（煙、空気、蒸気等）を当て、熱媒体成分中に含有している、熱輻射体を増幅することを特徴とした方式である。
請求項２の場合には、熱輻射体増幅装置を通過した、増幅された熱幅射体が、炉内にある対象の素材に作用することで、残留応力の除去、材質組織の改良、熱の伝達率向上を行うことを特徴とした方式である。
請求項３の場合には木材乾燥処理炉に請求項１、請求項２を用いたことを特徴とした方式である。
【作用】
【０００５】  熱輻射体増幅装置は、本体１、能動素子２、共鳴触媒３から構成され、能動素子２、共鳴触媒３の放射作用により、強力エネルギー帯域７を形成する。すなわち、本体１を中心に能動素子２を通して放射状に強力エネルギー帯域７が磁力線５の集合体として形成される。本装置は、熱輻射体４を含む熱媒体４ａの流通経路に設置され、この熱媒体４ａが強力エネルギー帯域７を通過するとき、磁力線５により増幅され、増幅流体６となり、強力な熱放射が実現する。又、強力エネルギー帯域７は、通過中の熱媒体分子に作用し、熱輻射体の増幅だけでなく、不純物分子であるプラス電荷を中和し、更にイオン化をすすめる作用がある。したがって、強力エネルギー帯７を通過した増幅熱流体は、分子集団を微細に分解する。強力エネルギーを持つと共に浄化されたクリーンな増幅熱流体６として炉内を対流することになる。微細でクリーンな増幅熱流体６の分子は、対象物に対して、熱の伝導効率ｕｐ、強力熱流体、電磁波として、輻射熱の放射を繰り返します。又、対象物より、乾燥工程で放出する蒸気およびガスそれぞれの分子にもイオン交換を行いながら、イオン化、微細化を進めて行く。その結果として、炉内の温度差が縮小される。対象物の持つ不純物は中和され、還元状態へと移行し、良質な乾燥処理炉が創成される。
【実施例】
【０００６】  木材の煙熱改質乾燥処理炉において、燃焼室より排出された煙を、煙熱炉に送り込む煙排出窓付近及び煙導入管部に、熱輻射体増幅装置を設置する。設置後の状況変化（設置前との対比）
１  丸太のまま乾燥ができるため乾燥後のコストを大幅に削減できた。
２  丸太のまま乾燥ができるため小径木、間伐材または、今まで用材として利用できなかった木も使用可能になった。
３  煙りに含まれるポリフェノールにより、防虫、防腐効果が得られる。
４  従来の燻煙乾燥による臭いは無く、木材の色合い（芯・辺）の緩和ができるようになった。
５  反り、曲がり、ねじれ、割れが緩和され寸法安定性に優れてきた。
６  炉内の煙にソフト感が出て、微細になった。
７  煙の鼻を突く臭いが無くなり、爽やかである。
８  木酢液の質が向上した。
９  処理加熱に際して木材の芯迄の到達時間が大幅に短縮された。
１０  炉内の保温性が善くなった。
【発明の効果】
【０００７】  １  燻煙処理炉及び煙熱乾燥処理炉に使用することで、乾燥木材の歩留まりの向上と乾燥時間の短縮がはかれ、品質の向上した製品の提供が可能になった。
２  乾燥原木丸太において、切削性の向上と加工時のそりがすくなく、曲がり、ねじれ、割れ等の少ないものの提供が可能になった。
３  加熱処理後、炉の解放時に煙の悪臭の低減で、好い作業環境の提供が可能になった。
４  原木丸太の樹種の大小問わず、熱伝導率の向上によって大量処理であっても均一に乾燥を施すことの提供が可能になった。
【図面の簡単な説明】
【０００８】
【図１】  本発明の全体見取り図
【符号の説明】
１は熱輻射体増幅装置本体
２は能動素子
３は共鳴触媒
４は煙熱輻射体分子
４ａは熱媒体（煙、蒸気等）
５は磁力線
６は増幅煙熱流体
７は強力エネルギー帯
８は熱媒体（煙熱、煙熱、蒸気等）で、改質乾燥をする材料
９は水蒸気およびガス
１０は熱媒体（煙、蒸気等）の排出口
【図１】
2005283081.tif 000002